(57)【要約】  【課題】複数の国籍の盗難者、あるいは１つの国籍でもさまざまな盗難者に対応できるようにして盗難防止の効果を高めることができる盗難防止装置を提供する。  【解決手段】、盗難が発生し、アラームフラグが１の場合、音声フラグが１か否かが判定され（ステップ217）、音声フラグが０である場合、音響アラームが行われる（ステップ218）。一方、音声フラグが１である場合、順番設定アドレスの第Ｃアドレスの情報、すなわち、言語フラグが読み出され（ステップ220）、読み出した言語フラグに対応する言語による音声アラームがＮフレーズ行われる（ステップ221、222）。以下、カウンタＣの値が３になるまで、順次Ｃの値が１増加され、対応する言語でＮフレーズずつ、例えば、日本語、英語、中国語の順番に音声アラームが出力される。  【選択図】図３−２
2006218967.tif 000002
【特許請求の範囲】
【請求項１】
言語の異なる複数の音声アラームを記憶する記憶手段と、盗難を検出したとき、音声アラームを出力する制御手段とを備えた盗難防止装置であって、
盗難を検出したとき、上記制御手段が、音声アラームを言語毎に順番に、あるいはランダムに出力することを特徴とする盗難防止装置。
【請求項２】
請求項１に記載された盗難防止装置において、
出力する音声アラームの順番をプログラム可能としたことを特徴とする盗難防止装置。
【請求項３】
請求項１に記載された盗難防止装置において、
上記制御手段が、盗難検出時のアラーム出力期間の間に、音声アラームを言語毎に順番に、あるいはランダムに出力することを特徴とする盗難防止装置。
【請求項４】
請求項１に記載された盗難防止装置において、
上記制御手段が、盗難検出時のアラーム出力期間毎に音声アラームの言語を異ならせることを特徴とする盗難防止装置。
【請求項５】
所定の言語により文言が異なる複数の音声アラームを記憶する記憶手段と、盗難を検出したとき、音声アラームを出力する制御手段とを備えた盗難防止装置であって、
盗難を検出したとき、上記制御手段が、上記複数の音声アラームを順番に、あるいはランダムに出力することを特徴とする盗難防止装置。
【発明の詳細な説明】
【技術分野】
【０００１】
本発明は、乗員不在中に車両に不正侵入等があった場合にアラームを発生させる盗難防止装置に関する。
【背景技術】
【０００２】
車両用の盗難防止装置は、アーミング（警戒）中に不正なドア開、車室内への侵入、車両の振動、ガラス割れ等の不正侵入あるいはその事前行為を検出するとアラームを発生させたり、あるいは所定場所に不正侵入があったことを無線通報するものであり、現在広く実用化されている。
このような盗難防止装置において、盗難を検出した場合に発生するアラームは、サイレン、ホーンを使用した音響的なアラームや合成音声による音声アラームが一般的である。
【０００３】
音声アラームの場合、盗難防止装置が日本向けの場合は、日本語でなされるのが通常であるが、最近、英語、韓国語、中国語等、複数の言語によるアラームを備え、それらの中から選択して使用できるようにする装置も提案されている。これは、最近の盗難が日本人によるものだけでなく、外国人による盗難が増えてきているためである。
【０００４】
一方、音声アラームにおいては、所定の言語、例えば、日本語だけで複数の音声アラームを予め用意し、その地方において最も効果的と思われる音声アラームを予め選択しておき、盗難検出時にその選択された音声で警報を発するようにするものも提案されている（例えば、特許文献１参照。）。
【特許文献１】特開平８−１０８８２６号公報
【発明の開示】
【発明が解決しようとする課題】
【０００５】
従来の盗難防止装置では、上記のように、複数の言語によるアラームの中から選択して使用できるようにすることが提案されているが、このように複数の言語の中からある言語によるアラームを選択しても、盗難者がその言語を理解できなければ、盗難防止の効果は薄れてしまう。
また、日本語だけで複数の音声アラームを予め用意し、その地方において最も効果的と思われる音声アラームを予め選択するようにした場合も、盗難者がその地方出身者とは限らないため、盗難者にとってその音声アラームの言い方が必ずしも効果的であるとは限らない。特に、音声アラームとしてその地方独特の方言を用いていた場合、盗難者がその方言を理解できなければ盗難防止の効果は薄れてしまう。
【０００６】
本発明は、上記の問題に鑑みてなされたもので、複数の国籍の盗難者、あるいは１つの国籍でもさまざまな盗難者に対応できるようにして盗難防止の効果を高めることができる盗難防止装置を提供することを目的とする。
【課題を解決するための手段】
【０００７】
上述の目的を達成するため、本発明に係る盗難防止装置（１）は、
言語の異なる複数の音声アラームを記憶する記憶手段と、盗難を検出したとき、音声アラームを出力する制御手段とを備えた盗難防止装置であって、
盗難を検出したとき、上記制御手段が、音声アラームを言語毎に順番に、あるいはランダムに出力することを特徴とする。
【０００８】
また、本発明に係る盗難防止装置（２）は、盗難防止装置（１）において、
出力する音声アラームの順番をプログラム可能としたことを特徴とする。
【０００９】
さらに、本発明に係る盗難防止装置（３）は、盗難防止装置（１）において、
上記制御手段が、盗難検出時のアラーム出力期間の間に、音声アラームを言語毎に順番に、あるいはランダムに出力することを特徴とし、
本発明に係る盗難防止装置（４）は、盗難防止装置（１）において、
上記制御手段が、盗難検出時のアラーム出力期間毎に音声アラームの言語を異ならせることを特徴とする。
【００１０】
また、本発明に係る盗難防止装置（５）は、
所定の言語により文言が異なる複数の音声アラームを記憶する記憶手段と、盗難を検出したとき、音声アラームを出力する制御手段とを備えた盗難防止装置であって、
盗難を検出したとき、上記制御手段が、上記複数の音声アラームを順番に、あるいはランダムに出力することを特徴とする。
【発明の効果】
【００１１】
本発明に係る盗難防止装置（１）〜（４）によれば、盗難発生時に、言語の異なる複数の音声アラームが言語毎に順番に、あるいはランダムに出力されるので、複数の言語のいずれかを盗難者が理解できれば、盗難防止効果をあげることができる。
【００１２】
また、本発明に係る盗難防止装置（５）によれば、盗難発生時に、所定の言語により文言が異なる複数の音声アラームが順番に、あるいはランダムに出力され、複数の文言、例えば、地方独特の方言が複数個流れるので、方言のいずれかを盗難者が理解できれば、盗難防止効果をあげることができる。
【実施例１】
【００１３】
以下、本発明の盗難防止装置の実施例について、図面を用いて説明する。
図１は本発明の盗難防止装置のシステム構成を示すブロック図であり、図に示すように、この盗難防止装置は受信機１と送信機２により構成されている。
受信機１はドアのロック制御を行うキーレスエントリ機能を内蔵しており、車両のドアロック／アンロック制御を行ったり、不正な手段による車室内への侵入があったとき警報を発したりするもので、送信機２からの要求信号に応じてアーミング／ディスアーミング制御、車両のドアロック／アンロック制御等を行う。
送信機２はロックボタンＬとアンロックボタンＵを有し、ロックボタンＬの押下によりセキュリティセット（アーミング）、アンロックボタンＵの押下によりセキュリティリセット（ディスアーミング）となる。
【００１４】
受信機１には、イグニッションキーの挿入を検知するキー挿入検知スイッチ（ＳＷ）３１、ドアの開閉状態を検出するカーテシＳＷ３２、フードの開閉状態を検出するフードＳＷ３３、正規の方法以外でドアが開けられたり、車室内への侵入があったことを検出する侵入センサ３４、車両の振動を検出する振動センサ３５、イグニッションスイッチのオン／オフのスイッチング状態を検出するＩＧＳＷ３６、ドアのロック、アンロックを検出するロックポジションＳＷ３７等のＳＷやセンサの出力が入力されるとともに、ドアのロック、アンロックを行うドアロック機構を駆動するロックモータ３８、警報時に警報動作を行うスピーカ３９、ハザードランプ４０等が接続されている。
【００１５】
カーテシＳＷ３２は、運転席ドア、助手席ドア、後部ドア、トランクの開閉を検出するものであり、各ドア、トランクに設けられているが、図１では代表として１つだけ示している。また、侵入センサ３４は、例えば、車室内に超音波または電波を張りめぐらせておき、ガラスが割られたり、車室内で人が動いたりしたときの音波または電波の周波数の乱れを検出するものであり、振動センサ３５は人が車室内へ乗り込んだり、車両をトーイングするために車両を傾けたりしたときの車両の振動を検出する。
【００１６】
そして、受信機１はＣＰＵ１１、ＲＯＭ（Read Only Memory）１２、ＲＡＭ（Random Access Memory）１３、タイマ１４、カウンタ１５から構成されている。なお、タイマ１４、カウンタ１５はハードウェアで構成することも可能であるが、ＣＰＵ１１、ＲＯＭ１２及びＲＡＭ１３によりソフトウェアによってその機能を実行させることも可能である。
ＣＰＵ１１は受信機１のハードウェア各部を制御するとともに、ＲＯＭ１２に記憶されたプログラムに基づいて各種のプログラムを実行する。また、ＲＯＭ１２は受信機１の動作に必要な種々のプログラムや日本語、英語、中国語等の音声アラームを予め記憶している。
【００１７】
また、ＲＡＭ１３はＳＲＡＭ等で構成され、プログラムの実行時に発生する一時的なデータを記憶するとともに、音声アラーム／音響アラームの選択を行う第１プログラムモードのフラグ（Ｆ）、音声アラームの言語／順番選択を行う第２プログラムモードのフラグ、音声アラームの設定を記憶する音声フラグ、各言語を指定する第１〜第３言語フラグ、言語の順番設定アドレス等の記憶領域を備えている。さらに、このＲＡＭ１３には、警戒中であることを示すアームフラグ、警報中であることを示すアラームフラグの記憶領域が設けられているとともに、送信機２の正規ＩＤコードも記憶されている。
なお、この実施例では、第１言語フラグは日本語、第２言語フラグは英語、第３言語フラグは中国語を示すフラグとしている。
【００１８】
盗難防止装置は以上のように構成されているが、以下、音声アラーム／音響アラームの選択、音声アラームの言語／順番選択を行う場合の作用を図２−１、図２−２のフローチャートにより説明する。
なお、本実施例では、ＩＧオンオフを１０秒以内に５回、その後ドア開閉を１０秒以内に３回行うことにより、音声アラーム／音響アラームの選択を行う第１プログラムフラグが１になって、第1プログラムモードに突入し、また、ＩＧオンオフを１０秒以内に５回、その後ドア開閉を１０秒以内に５回行うことにより、音声アラームの言語／順番選択を行う第２プログラムフラグが１になって、第２プログラムモードに突入する。
【００１９】
受信機１のＣＰＵ１１は、常時、図２−１、図２−２のフローチャートに示すアラーム設定プログラムを実行しており、このプログラムを開始すると、まず、ＣＰＵ１１は第１プログラムフラグが１になっているか否かを判定する（ステップ１０１）。ユーザがＩＧオンオフを１０秒以内に５回、その後ドア開閉を１０秒以内に３回行って、音声アラーム／音響アラームの選択を行う第１プログラムモードに設定し、第１プログラムフラグが１になっている場合、ＣＰＵ１１は、タイマ１４によりタイマ時間Ｔのカウントアップを行った（ステップ１０２）後、送信機２からロック要求の指令を受信したか否かを判定する（ステップ１０３）。
【００２０】
ユーザが送信機２のロックボタンＬを押下し、ロック要求指令があったと判定した場合、ＣＰＵ１１は、音声フラグを０にすることにより、音響アラームをセットする（ステップ１０４）。次に、ＣＰＵ１１はアンサーバック１、例えば、スピーカ３９から「音響アラームがセットされました。」との音声を流すことにより、音響アラームがセットされたことを通知する（ステップ１０５）。
【００２１】
一方、ステップ１０３でロック要求を受信していないと判定した場合、ＣＰＵ１１は、送信機２からアンロック要求の指令を受信したか否かを判定し（ステップ１０６）、ユーザが送信機２のアンロックボタンＵを押下し、アンロック要求指令があったと判定した場合、音声フラグを１にすることにより、音声アラームをセットする（ステップ１０７）。次に、ＣＰＵ１１はアンサーバック２、例えば、スピーカ３９から「音声アラームがセットされました。」との音声を流すことにより、音声アラームがセットされたことを通知する（ステップ１０８）。
また、ステップ１０６でアンロック要求を受信していないと判定した場合、ＣＰＵ１１は、タイマ１４の時間Ｔが３０秒を超えたか否かを判定し（ステップ１０９）、３０秒を超えていない場合には、ステップ１０２に戻る。
【００２２】
ステップ１０５、１０８でアンサーバックを行った後、あるいは、ステップ１０９でタイマ１４の時間Ｔが３０秒を超えたと判定した場合、ＣＰＵ１１は、第１プログラムフラグを０にリセットする（ステップ１１０）とともに、タイマ１４の時間Ｔをクリアする（ステップ１１１）。
以上のように、第１プログラムモードのとき、３０秒以内に送信機２のロックボタンＬが押下されると、音響アラームが設定され、アンロックボタンＵが押下されると、音声アラームがセットされる。
【００２３】
次に、ＣＰＵ１１は音声フラグが１か否かを判定し（ステップ１１２）、音声アラームがセットされて音声フラグが１であると判定した場合、タイマ１４によりタイマ時間Ｔのカウントアップを行った（ステップ１１３）後、送信機２からロック、アンロック同時要求の指令があったか否かを判定する（ステップ１１４）。ロック、アンロック同時要求の指令がないと判定した場合、ＣＰＵ１１は、タイマ１４の時間Ｔが１０秒より大きいか否かを判定し（ステップ１１５）、タイマ１４の時間Ｔが１０秒より小さいと判定した場合、ステップ１１３に戻る。
【００２４】
一方、ユーザが送信機２のロックボタンＬとアンロックボタンＵを同時に押下し、ステップ１１４でロック、アンロック同時要求の指令があったと判定した場合、ＣＰＵ１１は、音声アラームの言語／順番選択を行う第２プログラムモードのフラグを１にセットする（ステップ１１６）。ステップ１１６でフラグをセットした後、あるいは、ステップ１１５でタイマ１４の時間Ｔが１０秒より大きいと判定した場合、ＣＰＵ１１はタイマ１４の時間Ｔをクリアする（ステップ１１７）。
【００２５】
これにより、ＩＧオンオフを１０秒以内に５回、その後ドア開閉を１０秒以内に５回行う操作を行うことなく、第1プログラムモードで音声アラームを選択したときは、１０秒以内に送信機２のロックボタンＬとアンロックボタンＵの同時押しを行うことにより、引き続いて音声アラームの言語／順番選択を行う第２プログラムモードに移行することが可能となる。
【００２６】
そして、ステップ１０１で第１プログラムフラグが１になっていないと判定した場合、ステップ１１２で音声フラグが０であると判定した場合、あるいは、ステップ１１７でタイマ１４の時間Ｔをクリアした後、ＣＰＵ１１は第２プログラムフラグが１になっているか否かを判定する（ステップ１１８）。
【００２７】
ユーザがＩＧオンオフを１０秒以内に５回、その後ドア開閉を１０秒以内に５回行って、第２プログラムモードに設定した場合、あるいは、ステップ１１６で第２プログラムフラグが１にセットされた場合、ＣＰＵ１１は、カウンタ１５の値Ｃを１だけ増加した（ステップ１１９）後、ＲＡＭ１３の言語の順番設定アドレスの第Ｃアドレスを選択する（ステップ１２０）。
【００２８】
次に、ＣＰＵ１１は、タイマ１４によりタイマ時間Ｔのカウントアップを行った（ステップ１２１）後、送信機２からロック要求の指令を受信したか否かを判定し（ステップ１２２）、ユーザが送信機２のロックボタンＬを押下し、ロック要求指令があったと判定した場合、第１言語フラグを第Ｃアドレスに記憶する（ステップ１２３）。次に、ＣＰＵ１１はアンサーバック３、例えば、Ｃが１のとき、スピーカ３９から「１番目の言語として日本語が選択されました。」との音声を流すことにより、該当する順番の言語に日本語が選択されたことをユーザに通知する（ステップ１２４）。
【００２９】
一方、ステップ１２２でロック要求を受信していないと判定した場合、ＣＰＵ１１は、送信機２からアンロック要求の指令を受信したか否かを判定し（ステップ１２５）、ユーザが送信機２のアンロックボタンＵを押下し、アンロック要求指令があったと判定した場合、第２言語フラグを第Ｃアドレスに記憶する（ステップ１２６）。次に、ＣＰＵ１１はアンサーバック４、例えば、スピーカ３９から「１番目の言語として英語が選択されました。」との音声を流すことにより、該当する順番の言語に英語が選択されたことをユーザに通知する（ステップ１２７）。
【００３０】
また、ステップ１２５でアンロック要求を受信していないと判定した場合、ＣＰＵ１１は、送信機２からロック、アンロック同時要求の指令があったか否かを判定する（ステップ１２８）。ユーザが送信機２のロックボタンＬとアンロックボタンＵを同時に押下し、ロック、アンロック同時要求の指令があったと判定した場合、ＣＰＵ１１は、第３言語フラグを第Ｃアドレスに記憶する（ステップ１２９）。次に、ＣＰＵ１１はアンサーバック５、例えば、スピーカ３９から「１番目の言語として中国語が選択されました。」との音声を流すことにより、該当する順番の言語に中国語が選択されたことをユーザに通知する（ステップ１３０）。
【００３１】
さらに、ステップ１２８でロック、アンロック同時要求の指令がないと判定した場合、ＣＰＵ１１は、タイマ１４の時間Ｔが３０秒を超えたか否かを判定し（ステップ１３１）、３０秒を超えていない場合には、ステップ１２１に戻る。
【００３２】
そして、ステップ１２４、１２７または１３０でアンサーバックを行った後、ＣＰＵ１１は、カウンタ１５の値Ｃが３か否かを判定し（ステップ１３２）、値Ｃが３でない場合には、ステップ１１９に戻り、カウンタ１５の値Ｃを１だけ増加し、増加した第Ｃアドレスに対し２番目以降の言語選択処理を同様に行う。
ステップ１３２でカウンタ１５の値Ｃが３であると判定した場合、または、ステップ１３１でタイマ１４の時間Ｔが３０秒を超えていると判定した場合、ＣＰＵ１１は、第２プログラムフラグを０にリセットする（ステップ１３３）とともに、タイマ１４の時間Ｔ及びカウンタ１５の値Ｃをクリアする（ステップ１３４、１３５）。
【００３３】
以上のように、第２プログラムモードのとき、送信機２のロックボタンＬ、アンロックボタンＵにより、音声アラームの言語（日本語、英語、中国語等）を順番に選択することができ、１番目に選択された言語情報がＲＡＭ１３の順番設定アドレスの第１アドレスに、２番目に選択された言語情報が第２アドレスに、３番目に選択された言語情報が第３アドレスに記憶される。
これにより、３回の音声アラームをそれぞれ違う言語とすることがきるが、全てのアドレスに同じ言語、例えば、日本語を設定することもでき、また、日本語による音声アラームを２回、中国語による音声アラームを１回というように設定することも可能である。
【００３４】
次に、盗難防止装置の盗難検出時の作用を図３−１、図３−２のフローチャートにより説明する。
送信機１のＣＰＵ１１は、常時、図３−１、図３−２のフローチャートに示すプログラムを実行しており、このプログラムを開始すると、まず、ＣＰＵ１１は送信機２から送信コードを受信したか否かを判定し（ステップ２０１）、送信コードを受信したと判定した場合、受信したＩＤコードをＲＡＭ１３に登録されている正規ＩＤコードと比較することにより、正規ＩＤコードと一致するか否かを判定する（ステップ２０２）。受信したＩＤコードと正規ＩＤコードとが一致したと判定した場合、ＣＰＵ１１は、受信したファンクションコードにより送信機２からの指令がロック要求か否かを判定する（ステップ２０３）。
【００３５】
送信機２からの指令がロック要求であると判定した場合、ＣＰＵ１１はカーテシＳＷ３２の出力より全ドアが閉となっているか否かを判定し（ステップ２０４）、いずれかのドアが閉となっていない場合には、ＣＰＵ１１はアンサーバック６、例えば、ハザードランプ４０を３回点滅させることにより、ユーザにドアがロックされなかったこと、セキュリティがセットできなかったことを通知する（ステップ２０５）。
【００３６】
また、ステップ２０４で全ドアが閉と判定した場合、ＣＰＵ１１はロックモータ３８にロック駆動信号を出力してドアをロックし（ステップ２０６）、アームフラグを１にセットした（ステップ２０７）後、アンサーバック７、例えば、ハザードランプ４０を１回点滅させることにより、ユーザにドアがロックされたこと、セキュリティがセットされたことを通知する（ステップ２０８）。
【００３７】
一方、ステップ２０３で送信機２からの指令がロック要求でないと判定した場合、ＣＰＵ１１は受信したファンクションコードにより送信機２からの指令がアンロック要求か否かを判定する（ステップ２０９）。送信機２からの指令がアンロック要求であると判定した場合、ＣＰＵ１１はロックモータ３８にアンロック駆動信号を出力してドアをアンロックする（ステップ２１０）。次に、ＣＰＵ１１は、アームフラグを０にリセットした（ステップ２１１）後、アンサーバック８、例えば、ハザードランプ４０を２回点滅させることにより、ユーザにドアがアンロックされたこと、セキュリティがリセットされたことを通知する（ステップ２１２）。
【００３８】
そして、ステップ２０１で送信機２から送信コードを受信していないと判定した場合、ステップ２０２で受信したＩＤコードと正規ＩＤコードとが一致しなかった場合、ステップ２０９で送信機２からの指令がアンロック要求でないと判定した場合、あるいは、ステップ２０５、２０８、２１２でアンサーバックを行った場合、ＣＰＵ１１はＲＡＭ１３に記憶されているアームフラグが１か否かを判定する（ステップ２１３）。
【００３９】
盗難警戒中で、アームフラグが１であると判定した場合、ＣＰＵ１１は、カーテシＳＷ３２、フードＳＷ３３、侵入センサ３４、振動センサ３５からの入力により盗難を検出したか否かを判定し（ステップ２１４）、盗難を検出した場合、ＲＡＭ１３に記憶されているアラームフラグを１にセットする（ステップ２１５）。
【００４０】
ステップ２１３でアームフラグが１でないと判定した場合、あるいは、ステップ２１４で盗難を検出していないと判定した場合、あるいは、ステップ２１５でアラームフラグを１にセットした後、ＣＰＵ１１は、アラームフラグが１か否かを判定し（ステップ２１６）、アラームフラグが０の場合には、プログラムを終了する。
【００４１】
また、盗難が発生し、ステップ２１６でアラームフラグが１であると判定した場合、ＣＰＵ１１は、ＲＡＭ１３に記憶されている音声フラグが１か否かを判定し（ステップ２１７）、音声フラグが０であると判定した場合、すなわち、音響アラームが選択されている場合、スピーカ３９に一定時間サイレン音を流すように指令するとともに、ハザードランプ４０に一定時間の点滅を指令することにより、アラーム出力を行う（ステップ２１８）。この後、ＣＰＵ１１は、アラームフラグを０にリセットした（ステップ２２５）後、プログラムを終了する。
【００４２】
一方、ステップ２１７で音声フラグが１であると判定した場合、すなわち、音声アラームが選択されている場合、ＣＰＵ１１は、カウンタ１５のカウント値Ｃ（初期値０）を１増加した（ステップ２１９）後、ＲＡＭ１３の順番設定アドレスの第Ｃアドレスの情報、すなわち、言語フラグを読み出し（ステップ２２０）、読み出した言語フラグに対応する言語による音声アラーム、例えば、「車から立ち退きなさい。警察を呼びました。」との日本語の音声アラームをＲＯＭ１２から読み出してスピーカ３９に出力を指令する（ステップ２２１）。
【００４３】
次に、ＣＰＵ１１は、設定された回数のＮフレーズの出力を指令したか否かを判定し（ステップ２２２）、Ｎフレーズの音声アラーム出力を指令すると、カウンタ１５のカウント値Ｃが３か否かを判定する（ステップ２２３）。カウンタ１５のカウント値Ｃが３でないと判定した場合、ステップ２１９に戻ってカウンタ１５のカウント値Ｃに１を加算し、カウンタ１５のカウント値Ｃが３であると判定した場合、ＣＰＵ１１はカウンタ１５のカウント値Ｃを０にリセットした（ステップ２２４）後、アラームフラグを０にリセットする（ステップ２２５）。
【００４４】
以上のように、盗難が発生した場合、音声アラーム出力に設定されていれば、順番設定アドレスの第１アドレス→第２アドレス→第３アドレスの順番に言語情報が読み取られ、１回のアラーム期間中に対応する言語で１フレーズずつ、あるいはＮフレーズずつ、例えば、図４に示すように、日本語、英語、中国語の順番に音声アラームが出力される。
なお、この実施例では、３つの言語の音声アラームをＮフレーズずつ１回出力したが、これらを数回繰り返すようにしてもよい。
【実施例２】
【００４５】
上記の実施例では、音声アラーム出力時に、順番設定アドレスに設定された順番の言語による音声アラームを出力したが、順番を乱数により決定することも可能であり、以下、音声アラーム出力を行う言語を乱数により決定する場合の盗難検出時の作用を図５のフローチャートにより説明する。
なお、この場合の装置構成は図１と同じであり、図５のフローチャートのステップ２１８までの作用は、図３−１、図３−２のフローチャートのステップ２１８までの作用と同じであるので、説明を省略し、ステップ２１６以降の作用についてのみ説明する。
【００４６】
盗難が発生し、ステップ２１６でアラームフラグが１であると判定した場合、ＣＰＵ１１は、音声フラグが１か否かを判定し（ステップ２１７）、音声フラグが０であると判定した場合、スピーカ３９に一定時間サイレン音を流すように指令するとともに、ハザードランプ４０に一定時間の点滅を指令することにより、アラーム出力を行う（ステップ２１８）。この後、ＣＰＵ１１は、アラームフラグを０にリセットした（ステップ２３２）後、プログラムを終了する。
【００４７】
一方、ステップ２１７で音声フラグが１であると判定した場合、ＣＰＵ１１は、１番目の言語を乱数により選択し、選択した言語による音声アラーム出力をスピーカ３９に指令する（ステップ２２６）。次に、ＣＰＵ１１は、設定された回数のＮフレーズの出力を指令したか否かを判定し（ステップ２２７）、Ｎフレーズの音声アラーム出力を指令すると、残った言語の中から２番目の言語を乱数により選択し、選択した言語による音声アラーム出力をスピーカ３９に指令する（ステップ２２８）。
【００４８】
次に、ＣＰＵ１１は、同様に、設定された回数のＮフレーズを指令したか否かを判定し（ステップ２２９）、Ｎフレーズの音声アラーム出力を指令すると、残りの言語を選択し、選択した言語による音声アラーム出力をスピーカ３９に指令する（ステップ２３０）。この後、ＣＰＵ１１は、設定された回数のＮフレーズの出力を指令したか否かを判定し（ステップ２３１）、Ｎフレーズの音声アラーム出力を指令すると、アラームフラグを０にリセットした（ステップ２３２）後、プログラムを終了する。
【００４９】
以上のように、盗難が発生した場合、音声アラーム出力に設定されていれば、乱数により最初の言語が決定され、その言語で１フレーズ、あるいは複数フレーズ音声アラームが出力され、次に、残りの言語から乱数により２番目の言語が決定され、その言語で１フレーズ、あるいは複数フレーズ音声アラームが出力され、以下同様に、言語の数だけ音声アラーム出力が行われる。
【００５０】
なお、図５に示したアラーム言語のランダム指定による場合、図２−２に示したアラーム言語のユーザ指定処理（ステップ１１８〜１３５）は不要であるが、両者を併用し、アラーム言語のユーザ指定とランダム指定をどちらか選択できるようにしてもよい。その場合、別途、言語指定フラグを設け、ステップ１１８（図２−２）の次にユーザ指定かランダム指定かを、例えば、送信機の２のロックボタン／アンロックボタンの操作で選択して言語指定フラグに設定する処理を追加し、さらに、その処理の後、言語指定フラグでユーザ指定が選択されていれば、ステップ１１９に進む（ランダム指定が選択されていればリターン）処理を追加すればよい。
そして、ステップ２１６（図３−２、図５）の直前に言語指定フラグをチェックする処理を追加し、ユーザ指定が選択されていれば（初期値はユーザ指定とする）、図３−２の処理を実行し、ランダム指定が選択されていれば、図５の処理を実行するようにする。
【実施例３】
【００５１】
さらに、以上の実施例では、盗難検出時のアラーム出力期間の間に、音声アラームを言語毎に順番に、あるいはランダムに出力するようにしたが、盗難検出時のアラーム出力期間毎に音声アラームの言語を異ならせることもでき、以下、盗難検出時のアラーム出力期間毎に音声アラームの言語を異ならせる場合の盗難検出時の作用を図６のフローチャートにより説明する。
なお、上記と同様に、この実施例の装置構成は図１と同じであり、図６のフローチャートのステップ２１８までの作用は、図３−１、図３−２のフローチャートのステップ２１８までの作用と同じであるので、説明を省略し、ステップ２１６以降の作用についてのみ説明する。
【００５２】
盗難が発生し、ステップ２１６でアラームフラグが１であると判定した場合、ＣＰＵ１１は、音声フラグが１か否かを判定し（ステップ２１７）、音声フラグが０であると判定した場合、スピーカ３９に一定時間サイレン音を流すように指令するとともに、ハザードランプ４０に一定時間の点滅を指令することにより、アラーム出力を行う（ステップ２１８）。そして、アラーム出力を終了すると、アラームフラグを０にリセットした（ステップ２３９）後、プログラムを終了する。
【００５３】
一方、ステップ２１７で音声フラグが１であると判定した場合、ＣＰＵ１１は、カウンタ１５のカウント値Ｃを１増加した（ステップ２３３）後、カウンタ１５のカウント値Ｃが４か否かを判定し（ステップ２３４）、カウンタ１５のカウント値Ｃが４であると判定した場合、ＣＰＵ１１はカウンタ１５のカウント値Ｃを１にセットする（ステップ２３５）。
【００５４】
ステップ２３４でカウンタ１５のカウント値Ｃが４でないと判定した場合、または、ステップ２３５でカウンタ１５のカウント値Ｃを１にセットした後、ＣＰＵ１１はＲＡＭ１３の順番設定アドレスの第Ｃアドレスの情報、すなわち、言語フラグを読み出し（ステップ２３６）、読み出した言語フラグに対応する言語による音声アラーム出力を行う（ステップ２３７）。
次に、ＣＰＵ１１は、設定された回数のＮフレーズの出力を指令したか否かを判定し（ステップ２３８）、Ｎフレーズの音声アラーム出力を指令すると、アラームフラグを０にリセットした（ステップ２３９）後、プログラムを終了する。
【００５５】
以上のように、最初に盗難を検出したときは、順番設定アドレスの第１アドレスに記憶された言語で音声アラームが発生し、次回に盗難を検出したときは、第２アドレスに記憶された言語で音声アラームが発生し、以下同様に、盗難を検出するたびに、言語の数だけ順に異なる言語の音声アラームが発生するので、例えば、図７に示すように、盗難を検出するたびに、日本語、英語、中国語による音声アラームが１フレーズずつあるいはＮフレーズづつ順番に流される。
【００５６】
なお、以上の実施例では、送信機のロックボタンＬ、アンロックボタンＵにより、音声アラーム／音響アラームの選択、音声アラームの言語／順番選択、警戒状態のセット、リセットを行ったが、アーミングボタン及びディスアーミングボタンを使用するようにすることもできる。
また、以上の実施例ではキーレスエントリ内臓の盗難防止装置について説明したが、キーレスエントリ機能がなくてもよいことはもちろんである。
【００５７】
さらに、図２−１、図２−２のフローチャートの実施例では、アンサーバックを音声により行ったが、それぞれの状況をハザードランプの点灯回数等により通知することも可能である。
また、図２−１、図２−２のフローチャートの実施例では、第１、第２プログラムモードの設定を、それぞれ、ＩＧオンオフを１０秒以内に５回、その後ドア開閉を１０秒以内に３回、または、ＩＧオンオフを１０秒以内に５回、その後ドア開閉を１０秒以内に５回の操作により行ったが、その他の車両の操作、例えば、ブレーキやアクセルの操作等によって設定するようにすることもできる。
【００５８】
さらに、以上の実施例では、異なる言語として、日本語、英語、中国語の３言語を例として説明したが、言語の数は任意に設定することができ、また、言語も韓国語、仏語等、任意に選択することができる。
また、以上の実施例では、盗難を検出したとき、言語の異なる複数の音声アラームを言語毎に順番に、あるいはランダムに出力したが、同じ言語で言い回しが異なるアラーム内容、例えば、標準語、関西弁、東北弁等、方言ごとに用意した複数のものを記憶させておき、盗難を検出したとき、複数の各方言による音声アラームを順番に、あるいはランダムに出力するようにすることも可能である。
【図面の簡単な説明】
【００５９】
【図１】本発明の盗難防止装置のシステム構成を示すブロック図である。
【図２−１】音声アラーム／音響アラームの選択、音声アラームの言語／順番選択を行う場合の作用を示すフローチャートである。
【図２−２】音声アラーム／音響アラームの選択、音声アラームの言語／順番選択を行う場合の作用を示すフローチャートである。
【図３−１】盗難検出時の作用を示すフローチャートである。
【図３−２】盗難検出時の作用を示すフローチャートである。
【図４】複数の言語により順番に音声アラームを行う場合の音声出力動作を示す図である。
【図５】音声アラーム出力を行う言語を乱数により決定する場合の盗難検出時の作用を示すフローチャートである。
【図６】盗難検出時のアラーム出力期間毎に音声アラームの言語を異ならせる場合の作用を示すフローチャートである。
【図７】盗難検出時のアラーム出力期間毎に音声アラームの言語を異ならせる場合の音声出力動作を示す図である。
【符号の説明】
【００６０】
１  受信機
１１  マイコン
１２  ＲＯＭ
１３  ＲＡＭ
１４  タイマ
１５  カウンタ
２  送信機
３１  キー挿入検知ＳＷ
３２  カーテシＳＷ
３３  フードＳＷ
３４  侵入センサ
３５  振動センサ
３６  ＩＧＳＷ
３７  ロックポジションＳＷ
３８  ロックモータ
３９  スピーカ
４０  ハザードランプ
【図１】
2006218967.tif 000003
【図２−１】
2006218967.tif 000004
【図２−２】
2006218967.tif 000005
【図３−１】
2006218967.tif 000006
【図３−２】
2006218967.tif 000007
【図４】
2006218967.tif 000008
【図５】
2006218967.tif 000009
【図６】
2006218967.tif 000010
【図７】
2006218967.tif 000011